(57)【要約】【課題】  ページ押さえ等の手段を必要とせずに書籍等を見開き状態で安定的に保持することができ、かつ、大きさや厚さが異なる書籍等に対しても、特段の調整作業を要することなく自在に対応できる見開き保持具を提供することを課題とする。【解決手段】  下向きに凸に湾曲している接地部を有し、前記接地部を下向きにして平面上に載置したとき、前記平面上で左右に揺動自在な本体部と、前記本体部の上面と同じか、それよりも上方に位置し、前記本体部と共に揺動する載置部とを備える右側保持具と、下向きに凸に湾曲している接地部を有し、前記接地部を下向きにして平面上に載置したとき、前記平面上で左右に揺動自在な本体部と、前記本体部の上面と同じか、それよりも上方に位置し、前記本体部と共に揺動する載置部とを備える左側保持具とからなる見開き保持具を提供することによって解決する。【選択図】  図１
2018039136.tif 000002
【特許請求の範囲】
【請求項１】
下向きに凸に湾曲している接地部を有し、前記接地部を下向きにして平面上に載置したとき、前記平面上で左右に揺動自在な本体部と、前記本体部の上面と同じか、それよりも上方に位置し、前記本体部と共に揺動する載置部とを備える右側保持具と、下向きに凸に湾曲している接地部を有し、前記接地部を下向きにして平面上に載置したとき、前記平面上で左右に揺動自在な本体部と、前記本体部の上面と同じか、それよりも上方に位置し、前記本体部と共に揺動する載置部とを備える左側保持具とからなる見開き保持具。
【請求項２】
前記右側保持具及び前記左側保持具における前記載置部の上面がいずれも平面であり、それら平面が、それぞれ、前記右側保持具又は前記左側保持具の前記本体部の上面若しくはその一部、又は前記本体部に直接又は間接的に連結された平板状部材の上面若しくはその一部によって構成されている請求項１記載の見開き保持具。
【請求項３】
前記接地部を下向きにして平面上に載置したとき、前記右側保持具及び前記左側保持具における前記載置部の前記上面が、いずれも、手前下がりになっている請求項２記載の見開き保持具。
【請求項４】
前記右側保持具においては、前記接地部の下向きに凸の湾曲が、前記載置部の前記上面における左右方向の中央位置よりも右側の位置で、前記接地部から前記載置部の前記上面までの距離が極大値をとる湾曲であり、前記左側保持具においては、前記接地部の下向きに凸の湾曲が、前記載置部の前記上面における左右方向の中央位置よりも左側の位置で、前記接地部から前記載置部の前記上面までの距離が極大値をとる湾曲である請求項２又は３記載の見開き保持具。
【請求項５】
前記右側保持具においては、前記極大値をとる位置が、前記本体部の手前側においては、後方側におけるよりも、前記載置部の前記上面における左右方向左側にずれており、前記左側保持具においては、前記極大値をとる位置が、前記本体部の手前側においては、後方側におけるよりも、前記載置部の前記上面における左右方向右側にずれている請求項４記載の見開き保持具。
【請求項６】
前記右側保持具及び前記左側保持具のいずれにおいても、前記本体部が、前後方向に間隔をあけて配置された前方板と後方板、若しくは前後方向に間隔をあけて配置された前方板と中間板と後方板とから構成されている請求項１〜５のいずれかに記載の見開き保持具。
【請求項７】
前記右側保持具と前記左側保持具とが、両者の間の左右方向中央に設定される仮想平面に関して、互いに鏡像関係にある請求項１〜６のいずれかに記載の見開き保持具。
【発明の詳細な説明】
【技術分野】
【０００１】
本発明は見開き保持具に関し、詳細には、書籍、雑誌、楽譜等を見開き状態で保持する見開き保持具に関する。
【背景技術】
【０００２】
書籍や雑誌等を見開き状態で保持する見開き保持具としては、従来から、いわゆる書見台或いは読書台として、種々のものが提案されている。例えば、特許文献１には、折りたたみ自在の脚を備えた開閉自在な左右一対の受け台と、ページ押えとを有する脚つき傾斜読書台が、特許文献２には、正面形状がヘ字状に形成された２枚の載置部材の内側端部を結合具で結合するとともに、載置部材の外側両側にページ保持部材を挿着した書籍ページ保持具が開示されている。しかしながら、これら特許文献１、２に開示されている見開き保持具は、書籍等を受ける左右の受け台が中央で連結されており、見開き状態で背表紙部が突出した湾曲状態にある書籍等を安定的に保持することができないという欠点がある。このため、これら特許文献１、２に開示されている見開き保持具においては、載置した書籍等の見開いたページが勝手に移動したり、開いた書籍等が勝手に閉じてしまったりすることが避けられず、これを防止するために、何らかのページ保持手段が不可欠であり、構造が複雑になる上に、ページをめくる動作に手間が掛かるという不都合がある。
【０００３】
一方、例えば、特許文献３においては、上記の欠点を避けるため、２枚一対の書見板を間隔をあけて配置して、両者の間に書籍等の背表紙部を落とし込む箇所を設けるとともに、２枚の書見板の後方への傾斜角度及び左右方向の傾斜角度を比較的大きく設定することによって、書籍等を見開き状態で見易い角度に支持し、卓上又は床上に自立させておくことを可能にしたとされる書見台が提案されている。しかしながら、安定した状態で保持するに適した後方への傾斜角度や左右方向の傾斜角度は書籍等の大きさや厚さに応じて変化するので、特許文献３に開示されている書見台では、載置する書籍等に合わせてその都度後方への傾斜角度や左右方向の傾斜角度を調整する必要があり、多種多様の書籍等に自在に対応できないという不都合がある。
【０００４】
特許文献４においても、書籍等を見開き状態で保持する左右の支持板間に間隙を設け、この間隙に書籍の背表紙部分を落とし込むようにした書見台が開示されているが、当該書見台においては、書籍等の見開き角度の調整は、角度調整材と左右の支持板との係合位置を変えることによって行う必要があり、書籍等の大きさや厚さが変わると、その都度調整しなければならないという煩雑さがある点では、特許文献３に開示されている書見台と同様である。
【先行技術文献】
【特許文献】
【０００５】
【特許文献１】実開昭６０−４２１３２号公報
【特許文献２】特開２００２−１４４７６５号公報
【特許文献３】実用新案登録第３１１４３３５号公報
【特許文献４】特許第４６６５０７４号公報
【発明の概要】
【発明が解決しようとする課題】
【０００６】
本発明は、上記従来技術の欠点を解消するために為されたもので、ページ押さえ等の手段を必要とせずに書籍等を見開き状態で安定的に保持することができ、かつ、大きさや厚さが異なる書籍等に対しても、特段の調整作業を要することなく自在に対応できる見開き保持具を提供することを課題とする。
【課題を解決するための手段】
【０００７】
本発明者は上記の課題を解決すべく鋭意研究努力を重ねた結果、書籍等を見開き状態で安定的に保持するには、一体化され、かつ、しっかりと支持された左右の支持体が必要であるという従来の発想から脱却し、書籍等の表及び裏表紙部分を支持する左右の支持体を切り離して別体にするとともに、それら左右の支持体をしっかりと固定せず、それぞれが揺動自在な形状、構造とすることによって、書籍等を見開き状態で安定的に保持することができ、かつ、大きさや厚さが異なる書籍等に対しても自在に対応することができることを見出して、本発明を完成した。
【０００８】
すなわち、本発明は、下向きに凸に湾曲している接地部を有し、前記接地部を下向きにして平面上に載置したとき、前記平面上で左右に揺動自在な本体部と、前記本体部の上面と同じか、それよりも上方に位置し、前記本体部と共に揺動する載置部とを備える右側保持具と、下向きに凸に湾曲している接地部を有し、前記接地部を下向きにして平面上に載置したとき、前記平面上で左右に揺動自在な本体部と、前記本体部の上面と同じか、それよりも上方に位置し、前記本体部と共に揺動する載置部とを備える左側保持具とからなる見開き保持具を提供することによって上記課題を解決するものである。
【０００９】
上記のとおり、本発明の見開き保持具においては、右側保持具と左側保持具とが別体に形成され、かつ、それぞれが平面上で揺動自在に構成されているので、適宜の間隔をあけて左右に配置した右側保持具と左側保持具との上に書籍等を見開き状態で載置すると、前記間隔が書籍等の突出した背表紙部分が右側保持具と左側保持具との間に嵌り込むことが許容され、かつ、左右に見開いた書籍等の表表紙部分と裏表紙部分とが右側保持具又は左側保持具の載置部と当接し、これにより右側保持具と左側保持具とがそれぞれ自ら揺動して、載置された書籍等の大きさや見開き位置等に応じた安定な角度位置に移動するので、何らの調整手段を要することなく、書籍等を見開き状態で安定的に保持することが可能となる。
【００１０】
このことは、見開き状態で書籍等のページを繰って右から左、或いは左から右に移動させたときにおいても同様であり、ページが繰られることによって、左右の保持具に掛かる質量が変化すると、その変化に合わせて右側保持具及び左側保持具が揺動して安定な角度位置に移動し、右側保持具及び左側保持具は、それらの載置部とともに、常に安定した角度に維持される。
【００１１】
なお、右側保持具及び左側保持具が、平面上で滑ることなく揺動することを確実にするため、右側保持具及び左側保持具の接地部の下面を摩擦の大きな材料で構成するか、摩擦の大きな材料で構成された載置板を用意して、その上に右側保持具及び左側保持具を載置するようにするか、或いは、その双方の手段を講じるのが好ましい。
【００１２】
好ましい一態様において、右側保持具及び左側保持具における載置部の上面はいずれも平面であり、それら平面は、それぞれ、右側保持具又は左側保持具の本体部の上面若しくはその一部、又は前記本体部に直接又は間接的に連結された平板状部材の上面若しくはその一部によって構成されている。すなわち、本発明の見開き保持具において、その上に書籍等を載置する載置部の上面は基本的に平面であり、平面であるのが好ましいが、右側保持具又は左側保持具のそれぞれにおいて、必ずしも連続した一枚の平面である必要はなく、部分的に欠損部分があっても良い。また、本体部の上面又はその一部が載置部の上面を形成していても良いし、本体部とは別に本体部に直接又は間接的に連結された平板状部材の上面又はその一部が載置部の上面を形成していても良い。
【００１３】
また、本発明の見開き保持具においては、右側保持具及び左側保持具を接地部を下向きにして平面上に載置したとき、右側保持具及び左側保持具における載置部の上面が手前下がりになっているのが好ましい。載置部の上面が手前下がりになっている場合には、左右の保持具間の距離にもよるが、書籍等を手前下がりに見開き保持することができ、保持された書籍等が見易いという利点が得られる。なお、載置部の上面は、載置部の上面を全体としてみたときに手前下がりになっていれば良く、例えば、載置部の上面が連続した一枚の平面ではなく、不連続な点状、線状、又は島状領域から形成されている場合、必ずしも、個々の点状、線状、又は島状領域の上面までを含めて手前下がりになっている必要はなく、それら点状、線状、又は島状領域の上面が、全体として、手前下がりの平面上に位置していれば良い。
【００１４】
右側保持具及び左側保持具における載置部の上面を、本体部の後方側よりも手前側が下方に位置する手前下がりにするには、例えば、接地部から載置部の上面までの距離が、右側保持具及び左側保持具のいずれにおいても、載置部の同じ左右方向位置で比べたとき、本体部の後方側よりも手前側が小さくなるように、接地部の下向きに凸の湾曲の形状を設定すれば良い。
【００１５】
因みに、本明細書で手前側とは、右側保持具を右に、左側保持具を左にして、両者を並べて置いたときの手前側をいい、後方側とは、右側保持具を右に、左側保持具を左にして、両者を並べて置いたときの奥側をいうものとする。同様に、右側とは、右側保持具を右に、左側保持具を左にして、両者を並べて置いたときの右側をいい、左側とは、右側保持具を右に、左側保持具を左にして、両者を並べて置いたときの左側をいうものとする。
【００１６】
さらに、本発明の見開き保持具は、右側保持具においては、接地部の下向きに凸の湾曲が、右側保持具の重心の左右方向位置よりも右側の位置で、接地部から載置部の上面までの距離が極大値をとる湾曲であり、左側保持具においては、接地部の下向きに凸の湾曲が、左側保持具の重心の左右方向位置よりも左側の位置で、接地部から載置部の上面までの距離が極大値をとる湾曲であるのが好ましい。このように、接地部から載置部の上面までの距離が極大値をとる位置が、右側保持具においては、重心よりも右側に、左側保持具においては、重心よりも左側にずれている場合には、右側保持具を右側に、左側保持具を左側にして、両者を平面上に並べて配置したとき、右側保持具にあっては載置部の上面が左下がりに、右側保持具にあっては載置部の上面が右下がりになるので、見開き状態にある書籍等を載置し易いという利点が得られる。
【００１７】
さらに、本発明の見開き保持具は、右側保持具においては、接地部から載置部の上面までの距離が極大値をとる位置が、本体部の手前側においては、後方側におけるよりも左側にずれており、左側保持具においては、接地部から載置部の上面までの距離が極大値をとる位置が、本体部の手前側においては、後方側におけるよりも右側にずれているのが好ましい。
【００１８】
本発明の見開き保持具がこのように構成されている場合には、右側保持具及び左側保持部を平面上に載置したとき、接地部が、右側保持具では、本体部の手前側が後方側よりも左右方向左側の位置で、左側保持具では、本体部の手前側が後方側よりも左右方向右側の位置で、それぞれ平面と接しながら揺動することになるので、右側保持具は右端が左端よりも手前側に、左側保持具は左端が右端よりも手前側に位置することになって、上から見ると、右側保持具と左側保持具とが、ハの字型を形成し、書籍等を見開き状態で載置し易いという利点が得られる。
【００１９】
なお、本発明の見開き保持具において、右側及び左側保持具における本体部は、必ずしも中実な一個の部材から構成されている必要はなく、下向きに凸に湾曲している接地部を有する限り、複数個の部材から構成されていても良く、また、本体部としての外形形状を形作る枠部分だけから構成されていても良い。例えば、右側保持具及び左側保持具のいずれにおいても、本体部は、前後方向に間隔をあけて配置された板状の前方板と、同じく板状の後方板とから構成されていても良いし、或いは、前記前方板と前記後方板に加えて、それら両者の間に配置された１又は複数の板状の中間板とから構成されていても良い。このように、右側保持具及び左側保持具の本体部が、忠実体ではなく、複数枚の板状部材から構成されている場合には、材料が節約できるばかりでなく、右側保持具及び左側保持具の軽量化を図ることもでき、さらには右側保持具及び左側保持具の製作も容易になるので、有利である。
【００２０】
なお、本体部が、上記のように、前後方向に間隔をあけて配置された前方板と後方板、若しくは前後方向に間隔をあけて配置された前方板と中間板と後方板とから構成されている場合には、前方板と後方板の下端部、好適には前方板と後方板の下面が下向きに凸に湾曲した接地部を構成することになる。１又は複数枚の中間板に関しても、その下面を下向きに凸に湾曲した形状とし、接地部を構成するようにしても良いことは勿論である。
【００２１】
本発明の見開き保持具は、好ましくは、右側保持具と左側保持具とが、両者の間の左右方向中央に設定される垂直な仮想平面に関して、互いに鏡像関係にある構造を有しているのが望ましい。
【００２２】
本発明の見開き保持具が対象とする被保持物には特に制限はなく、例えば、書籍、雑誌、カタログ、パンフレット、地図、楽譜等、見開くことができるものであれば何であっても良い。また、見開き保持する目的は、読書や書見に限られず、展示や紹介のためであっても良い。さらに、本発明の見開き保持具は、書籍等を見開き保持するのと類似した状態で様々な物体を保持することにも使用でき、例えば、枕の下に配置して、枕を頭部の両側で安定して支えるためにも使用できる。本発明の見開き保持具を枕の支持具として使用する場合には、睡眠中又は覚醒中に頭の傾斜角度が変化しても、右側保持具及び左側保持具がその変化に追従して揺動し、常に頭部を安定して支えることができるという利点が得られる。
【発明の効果】
【００２３】
本発明の見開き保持具によれば、ページ押さえ等の煩雑な手段を必要とすることなく、書籍等の見開くことが可能な対象物を安定して保持することができるという利点が得られる。本発明の見開き保持具においては、右側保持具と左側保持具とが連結されておらず、別々であるとともに、それぞれ独立して揺動自在であるので、見開き保持する書籍等の大きさや厚さ、表紙の硬さ等が変わっても、右側保持具と左側保持具との間に突出した背表紙部分を無理なく受け入れ、かつ、左右に分配される書籍等の重量やその変化に右側保持具及び左側保持具が良く追従して揺動し、常に安定した角度で書籍等の表表紙部分及び裏表紙部分を支え、保持することができるという利点が得られる。このため、本発明の見開き保持具によれば、見開き保持中に書籍等のページを繰って、その見開き箇所を変化させても、安定した見開き状態が崩れる恐れがなく、極端な場合には、表紙だけ、又は裏表紙だけを一方に残して、他のページを全て他方側に移動させた状態であっても、書籍等を安定して見開き保持することができる。
【図面の簡単な説明】
【００２４】
【図１】本発明の見開き保持具の一例を示す斜視図である。
【図２】見開き保持具の揺動状態を模式的に示す斜視図である。
【図３】右側保持具だけを取り出して示す正面図である。
【図４】左側保持具だけを取り出して示す正面図である。
【図５】ハの字型を形成した状態の見開き保持具の斜視図である。
【図６】右側保持具だけを取り出して示す右側面図である。
【図７】右側保持具だけを取り出して示す左側面図である。
【図８】右側保持具だけを取り出して示す平面図である。
【図９】左側保持具だけを取り出して示す右側面図である。
【図１０】左側保持具だけを取り出して示す左側面図である。
【図１１】左側保持具だけを取り出して示す平面図である。
【図１２】本発明の見開き保持具に書籍を見開き状態で保持させた状態を示す斜視図である。
【図１３】本発明の見開き保持具に書籍を見開き状態で保持させた状態を示す斜視図である。
【図１４】本発明の見開き保持具の他の一例を示す右側保持具の平面図である。
【図１５】本発明の見開き保持具のさらに他の一例を示す右側保持具の右側面図である。
【図１６】本発明の見開き保持具のさらに他の一例を示す右側保持具の正面図である。
【図１７】本発明の見開き保持具のさらに他の一例を示す右側保持具の正面図である。
【図１８】本発明の見開き保持具のさらに他の一例を示す右側保持具の右側面図である。
【図１９】本発明の見開き保持具のさらに他の一例を示す右側保持具の右側面図である。
【図２０】本発明の見開き保持具のさらに他の一例を示す右側保持具の正面図である。
【発明を実施するための形態】
【００２５】
以下、図面を用いて本発明を詳細に説明するが、本発明が図示のものに限られないことは勿論である。
【００２６】
図１は、本発明の見開き保持具の一例を示す斜視図である。図１において、１は見開き保持具であり、見開き保持具１は右側保持具Ｒと左側保持具Ｌとから構成されている。２Ｒａは右側保持具Ｒの前方板、２Ｒｂは右側保持具Ｒの後方板であり、前方板２Ｒａと後方板２Ｒｂとで右側保持具Ｒの本体部３Ｒを構成している。４Ｒａは、前方板２Ｒａの接地部であり、図に示すとおり、下向きに凸に湾曲している。同様に、４Ｒｂは、後方板２Ｒｂの接地部であり、図に示すとおり、下向きに凸に湾曲している。５Ｒは右側保持具Ｒの載置部であり、本例において、載置部５Ｒは、本体部３Ｒを構成する前方板２Ｒａの上面と後方板２Ｒｂの上面との間に掛け渡された平面状の板状部材で構成されており、その上面は平面である。
【００２７】
同じく、２Ｌａは左側保持具Ｌの前方板、２Ｌｂは左側保持具Ｌの後方板であり、前方板２Ｌａと後方板２Ｌｂとで左側保持具Ｌの本体部３Ｌを構成している。４Ｌａは、前方板２Ｌａの接地部であり、図に示すとおり、下向きに凸に湾曲している。同様に、４Ｌｂは、後方板２Ｌｂの接地部であり、図に示すとおり、下向きに凸に湾曲している。５Ｌは左側保持具Ｌの載置部であり、本例において、載置部５Ｌは、本体部３Ｌを構成する前方板２Ｌａの上面と後方板２Ｌｂの上面との間に掛け渡された平面状の板状部材で構成されている。
【００２８】
６は模式的に描かれた平面であり、平面６の上に見開き保持具１を構成する右側保持具Ｒと左側保持具Ｌとが載置され、使用に供されることになる。本例においては、右側保持具Ｒと左側保持具Ｌとは、両者の左右方向中央に設定される平面６に対して垂直な仮想平面Ｐに関して、互いに鏡像関係にある構造を有している。なお、本明細書における右方、左方、前方、後方、上方、下方は、全て図１におけるそれぞれの方向をいうものとする。
【００２９】
見開き保持具１を構成する右側保持具Ｒと左側保持具Ｌとは、原則的にどのような材料で作製されても良く、例えば、アクリル板などのプラスチック材料や、厚紙や段ボール板などの紙材料、金属材料、さらにはこれらを組み合わせて作製することができる。
【００３０】
本発明の見開き保持具１は、上記のとおり、右側保持具Ｒ及び左側保持具Ｌが、それぞれ、下向きに凸に湾曲した接地部２Ｒａ、２Ｒｂ、及び２Ｌａ、２Ｌｂを有する本体部３Ｒ及び３Ｌを備えているので、図２に２点鎖線及び矢印で示すとおり、平面６上で、互いに独立に揺動自在である。
【００３１】
図３は、図１に示した右側保持具Ｒだけを取り出し、載置部５Ｒを水平に位置させた状態で示す正面図であり、図３において、５Ｒｔｏｐは載置部５Ｒの上面である。本例において載置部５Ｒは平板状の部材で構成されているので、上面５Ｒｔｏｐは平面であり、図３に示す状態においては水平でもある。また、載置部５Ｒの上面５Ｒｔｏｐは、本体部３Ｒを構成する前方板２Ｒａ及び後方板２Ｒｂの上面よりも上方に位置している。
【００３２】
図３に示すとおり、本体部３Ｒを構成する前方板２Ｒａは下向きに凸に湾曲している接地部４Ｒａを有しており、接地部４Ｒａから載置板５Ｒの上面５Ｒｔｏｐまでの距離Ｈｎは、図中、左側から右側に向かうに連れて、Ｈｎ１、Ｈｎ２と増大し、左右方向位置ＸＲａｍにおいて極大値Ｒａｍを取った後、Ｈｎ３と減少に転じる。前方板２Ｒａにおける接地部４Ｒａが極大値ＸＲａｍを取る左右方向位置ＸＲａｍは、図３に示すとおり、右側保持具Ｒの重心Ｇｃの左右方向位置よりも右側に位置している。なお、接地部から載置板の上面までの距離とは、接地部の各点から載置板の上面に立てた法線の長さを意味し、以下においても同様である。
【００３３】
同様に、本体部３Ｒを構成する後方板２Ｒｂも下向きに凸に湾曲している接地部４Ｒｂを有しており、接地部４Ｒｂから載置板５Ｒの上面５Ｒｔｏｐまでの距離は、図中、左側から右側に向かうに連れて次第に増大し、左右方向位置ＸＲｂｍにおいて極大値Ｒｂｍを取った後、減少に転じる。後方板２Ｒｂにおける接地部４Ｒｂが極大値ＸＲｂｍを取る左右方向位置ＸＲｂｍも、図３に示すとおり、右側保持具Ｒの重心Ｇｃの左右方向位置よりも右側に位置している。
【００３４】
このように、前方板２Ｒａにおける接地部４Ｒａから載置板５Ｒの上面５Ｒｔｏｐまでの距離が極大値を取る位置ＸＲａｍ、及び後方板２Ｒｂにおける接地部４Ｒｂから載置板５Ｒの上面５Ｒｔｏｐまでの距離が極大値を取る位置ＸＲｂｍが、いずれも右側保持具Ｒの重心Ｇｃよりも右側に位置しているので、右側保持具Ｒを平面６上に置くと、右側保持具Ｒの接地部４Ｒａ及び４Ｒｂは、外力がない状態では、前記極大値を取る位置ＸＲａｍ及びＸＲｂｍよりも左側で平面６と接することになり、右側保持具Ｒは、先に図１に示したとおり、載置部５Ｒの上面５Ｒｔｏｐが左下がりに傾いた状態で安定する。
【００３５】
図４は、図１に示した左側保持具Ｌだけを取り出し、図３と同様に、載置部５Ｌを水平に位置させた状態で示す正面図であり、５Ｌｔｏｐは載置部５Ｌの上面である。本例において載置部５Ｌは平板状の部材で構成されているので、上面５Ｌｔｏｐは平面であり、図４に示す状態においては水平でもある。
【００３６】
図４に示すとおり、前方板２Ｌａは下向きに凸に湾曲している接地部４Ｌａを有しており、接地部４Ｌａから載置板５Ｌの上面５Ｌｔｏｐまでの距離Ｈｎは、図中、右側から左側に向かうに連れて、Ｈｎ１、Ｈｎ２と増大し、左右方向位置ＸＬａｍにおいて極大値Ｌａｍを取った後、Ｈｎ３と減少に転じる。前方板２Ｌａにおける接地部４Ｌａが極大値ＸＬａｍを取る左右方向位置ＸＬａｍは、図４に示すとおり、左側保持具Ｌの重心Ｇｃの左右方向位置よりも左側に位置している。
【００３７】
同様に、後方板２Ｌｂも下向きに凸に湾曲している接地部４Ｌｂを有しており、接地部４Ｌｂから載置板５Ｌの上面５Ｌｔｏｐまでの距離は、図中、右側から左側に向かうに連れて次第に増大し、左右方向位置ＸＬｂｍにおいて極大値Ｌｂｍを取った後、減少に転じる。後方板２Ｌｂにおける接地部４Ｌｂが極大値ＸＬｂｍを取る左右方向位置ＸＬｂｍも、図４に示すとおり、左側保持具Ｌの重心Ｇｃの左右方向位置よりも左側に位置している。
【００３８】
このように、前方板２Ｌａにおける接地部４Ｌａから載置板５Ｌの上面５Ｌｔｏｐまでの距離が極大値を取る位置ＸＬａｍ、及び後方板２Ｌｂにおける接地部４Ｌｂから載置板５Ｌの上面５Ｌｔｏｐまでの距離が極大値を取る位置ＸＬｂｍが、いずれも左側保持具Ｌの重心Ｇｃよりも左側に位置しているので、左側保持具Ｌを平面６上に置くと、左側保持具Ｌの接地部４Ｌａ及び４Ｌｂは、外力がない状態では、前記極大値を取る位置ＸＬａｍ及びＸＬｂｍよりも右側で平面６と接することになり、左側保持具Ｌは、先に図１に示したとおり、載置部５Ｌの上面５Ｌｔｏｐが右下がりに傾いた状態で安定する。
【００３９】
以上のとおり、見開き保持具１を構成する左右一対の右側保持具Ｒと左側保持具Ｌとを平面６上に置くと、外力がない状態では、右側保持具Ｒは載置部５Ｒの上面５Ｒｔｏｐが左下がりに傾いた状態で、左側保持具Ｌは載置部５Ｌの上面５Ｌｔｏｐが右下がりに傾いた状態で、それぞれ安定するので、書籍等を見開き状態で載置するのが容易となり、好ましい。
【００４０】
また、図３に示すとおり、右側保持具Ｒにおいては、前方板２Ｒａにおける接地部４Ｒａから載置板５Ｒの上面５Ｒｔｏｐまでの距離が極大値を取る位置ＸＲａｍが、後方板２Ｒｂにおける接地部４Ｒｂから載置板５Ｒの上面５Ｒｔｏｐまでの距離が極大値を取る位置ＸＲｂｍよりも左側に位置しているので、右側保持具Ｒを平面６上に置いたとき、本体部３Ｒの手前側、すなわち前方板２Ｒａの方が、後方側、すなわち後方板２Ｒｂよりも左右方向左側の位置で、平面６と接しながら揺動することになり、右側保持具Ｒ全体としては右端が左端よりも手前側に位置することになる。
【００４１】
一方、左側保持具Ｌにおいては、図４に示すとおり、前方板２Ｌａにおける接地部４Ｌａから載置板５Ｌの上面５Ｌｔｏｐまでの距離が極大値を取る位置ＸＬａｍが、後方板２Ｌｂにおける接地部４Ｌｂから載置板５Ｌの上面５Ｌｔｏｐまでの距離が極大値を取る位置ＸＬｂｍよりも右側に位置しているので、左側保持具Ｌを平面６上に置いたとき、本体部３Ｌの手前側、すなわち前方板２Ｌａの方が、後方側、すなわち後方板２Ｌｂよりも左右方向右側の位置で、平面６と接しながら揺動することになり、左側保持具Ｌ全体としては左端が右端よりも手前側に位置することになる。
【００４２】
その結果、見開き保持具１を構成する右側保持具Ｒ及び左側保持具Ｌを平面６上に置いて揺動させると、右側保持具Ｒと左側保持具Ｌとは、上から見ると、図５に示すように、ハの字型を形成し、書籍等を見開き状態で載置し易いという利点が得られるので好ましい。
【００４３】
なお、右側保持具Ｒ及び左側保持具Ｌにおける接地部４Ｒａ、４Ｌａ、４Ｒｂ、４Ｌｂの下向きに凸の湾曲は、それらの湾曲が上述した左右方向位置に前記極大値を有する湾曲である限り、どのような曲線によって構成されていても良く、例えば、円弧、楕円弧、放物線の一部、双曲線の一部、その他の曲線、又はそれら２種以上を組み合わせて接続した曲線であっても良い。
【００４４】
また、図３に示すとおり、本例の見開き保持具１においては、右側保持具Ｒにおける前方板２Ｒａの接地部４Ｒａから載置部５Ｒの上面５Ｒｔｏｐまでの距離と、後方板２Ｒｂの接地部４Ｒｂから載置部５Ｒの上面５Ｒｔｏｐまでの距離とは、載置板５Ｒの同じ左右方向位置で比べた場合、常に、前者の方が短くなるように、接地部４Ｒａの下向きに凸の湾曲と接地部４Ｒｂの下向きに凸の湾曲とが設定されている。このため、右側保持具Ｒを接地部４Ｒａ及び４Ｒｂを下向きにして平面６上に置くと、右側保持具Ｒの載置板５Ｒの上面５Ｒｔｏｐは手前下がりとなる。
【００４５】
左側保持具Ｌにおいても同様であり、図４に示すとおり、左側保持具Ｌにおける前方板２Ｌａの接地部４Ｌａから載置部５Ｌの上面５Ｌｔｏｐまでの距離と、後方板２Ｌｂの接地部４Ｌｂから載置部５Ｌの上面５Ｌｔｏｐまでの距離とは、載置板５Ｌの同じ左右方向位置で比べた場合、常に、前者の方が短くなるように、接地部４Ｌａの下向きに凸の湾曲と接地部４Ｌｂの下向きに凸の湾曲とが設定されている。このため、左側保持具Ｌを接地部４Ｌａ及び４Ｌｂを下向きにして平面６上に置くと、左側保持具Ｌの載置板５Ｌの上面５Ｌｔｏｐは手前下がりとなる。
【００４６】
このように本例の見開き保持具１においては、右側保持具Ｒ及び左側保持具Ｌを接地部４Ｒａ、４Ｒｂ、及び４Ｌａ、４Ｌｂを下向きにして平面６上に載置したとき、それぞれの載置部５Ｒ、５Ｌの上面５Ｒｔｏｐと５Ｌｔｏｐとが、いずれも手前下がりになるので、書籍等を手前下がりに見開き保持することができ、保持された書籍等が見易いという利点が得られる。
【００４７】
図６、図７、図８は、図１に示した右側保持具Ｒだけを取り出して示す、それぞれ、右側面図、左側面図、及び平面図である。図６〜図８に示されるとおり、載置板５Ｒは、前方板２Ｒａの上面２Ｒａｔｏｐと後方板２Ｒｂの上面２Ｒｂｔｏｐの間に掛け渡された一枚の板状部材で構成されており、載置板５Ｒの上面５Ｒｔｏｐは、本体部３Ｒを構成する前方板２Ｒａ及び後方板２Ｒｂの上面２Ｒａｔｏｐ及び２Ｒｂｔｏｐよりも上方に位置している。
【００４８】
同様に、図９、図１０、図１１は、図１に示した左側保持具Ｌだけを取り出して示す、それぞれ、右側面図、左側面図、及び平面図である。図９〜図１１に示されるとおり、載置板５Ｌは、前方板２Ｌａの上面２Ｌａｔｏｐと後方板２Ｌｂの上面２Ｌｂｔｏｐの間に掛け渡された一枚の板状部材で構成されており、載置板５Ｌの上面５Ｌｔｏｐは、本体部３Ｌを構成する前方板２Ｌａ及び後方板２Ｌｂの上面２Ｌａｔｏｐ及び２Ｌｂｔｏｐよりも上方に位置している。
【００４９】
図１２は、図１に示す見開き保持具１の使用状態の一例を示す斜視図である。図１２において、Ｂは書籍であり、書籍Ｂは図に示されるように見開いた状態で、見開き保持具１を構成する右側保持具Ｒと左側保持具Ｌの上に載置される。右側保持具Ｒと左側保持具Ｌとは間隔Ｗをあけて配置されているので、これらの上に載置された書籍Ｂは、見開き状態では下方に突出する背表紙部を右側保持具Ｒと左側保持具Ｌとの間に嵌り込ませるとともに、表表紙及び裏表紙を、それぞれ右側保持具Ｒの載置部５Ｒ又は左側保持具Ｌの載置部５Ｌと当接させて、右側保持具Ｒと左側保持具Ｌとによって見開き保持される。
【００５０】
書籍Ｂの表表紙又は裏表紙部分が載置部５Ｒ又は５Ｌと当接したとき、書籍Ｂの重さが載置部５Ｒ及び５Ｌに伝達され、その重さと重さが掛かる位置に応じて、右側保持具Ｒ及び左側保持具Ｌは、それぞれの接地部４Ｒａ、４Ｒｂと４Ｌａ、４Ｌｂの一部を平面６と接触させながら平面６上で揺動し、重さと支える角度とがバランスのとれた角度位置に停止する。図の例では、書籍Ｂはそのほぼ真ん中の位置で見開いた状態にあるので、右側保持具Ｒに掛かる重さと左側保持具Ｌに掛かる重さとは原則として同じであり、右側保持具Ｒと左側保持具Ｌとが安定する角度位置は、左右で鏡像関係にある点を除いて、同じである。
【００５１】
また、右側保持具Ｒの載置部５Ｒの上面５Ｒｔｏｐと、左側保持具Ｌの載置部５Ｌの上面５Ｌｔｏｐとは、前述したとおり、手前下がりになっているので、その上に見開き保持される書籍Ｂも手前下がりとなり、開かれたページが極めて見易い状態で書籍Ｂは見開き保持されることになる。このような状態で、書籍Ｂを書見しても良いし、書籍Ｂを展示しても良い。
【００５２】
図１３は、図１２に示す状態から、書籍Ｂのページを左から右に繰った状態を示している。図１３に示すとおり、書籍Ｂの殆どのページが右側に移り、左側にはわずかなページしか残されていない状態である。本発明の見開き保持具１においては、ページ押さえなどの機構がないので、見開き保持中においても、自在に書籍Ｂのページを繰ることが可能である。また、ページを繰ることによって、右側保持具Ｒの載置部５Ｒに掛かる重さが増し、逆に、左側保持具Ｌの載置部５Ｌに掛かる重さが減少すると、図１３中矢印で示すように、右側保持具Ｒはその重さの増加に応じて、接地部４Ｒａ及び４Ｒｂのより左側で平面６と接触する方向に揺動し、左側保持具Ｌもその重さの減少に応じて、接地部４Ｌａ及び４Ｌｂのより左側で平面６と接触する方向に揺動し、いずれも安定する角度位置で停止するので、書籍Ｂの見開き保持状態は安定的に維持されることになる。なお、書籍Ｂのページを右から左に繰ったときにも、揺動方向が変わるだけで、右側保持具Ｒ及び左側保持具Ｌが安定する角度位置まで揺動し、書籍Ｂの見開き保持状態が安定的に維持されることに変わりはない。
【００５３】
なお、本発明の見開き保持具１には様々な変形が可能である。以下、右側保持具Ｒのみを例に各種変形例を説明するが、各種変形例における左側保持具Ｌは、右側保持具Ｒと鏡像関係にある点を除いて、右側保持具Ｒと構造的には同じである。
【００５４】
図１４は、本発明の見開き保持具１の他の一例における右側保持具Ｒの平面図である。図１４に示すとおり、本例の見開き保持具１においては、右側保持具Ｒの載置部５Ｒを構成する平板状部材には、複数の開口ｈ１、ｈ２、ｈ３、ｈ４が設けられている点が先に説明した例とは異なっている。このように、本発明の見開き保持具１においては、載置部５Ｒを構成する平板状部材は、必ずしも完全な平板状部材でなくても良く、開口ｈ１、ｈ２、ｈ３、ｈ４に示されるような欠損部を有していても良い。この場合、開口ｈ１、ｈ２、ｈ３、ｈ４を除いた部分が、載置部５Ｒの上面５Ｒｔｏｐとなる。
【００５５】
因みに、図１４における符号ｈ１、ｈ２、ｈ３、ｈ４で示した部分は、開口である代わりに、上方に突出した部分であっても良く、その場合、突出した部分ｈ１、ｈ２、ｈ３、ｈ４の上面が載置部５Ｒの上面５Ｒｔｏｐとなる。
【００５６】
図１５は、本発明の見開き保持具１のさらに他の一例における右側保持具Ｒの右側面図、図１６は正面図である。図１５、図１６に示す例においては、載置部５Ｒを構成する平板状部材は存在せず、代わりに、前方板２Ｒａと後方板２Ｒｂとを連結する水平な連結部材７Ｒが設けられている。この例においては、前方板２Ｒａの上面と後方板２Ｒｂの上面とが載置部を構成し、同時に載置部の上面５Ｒｔｏｐでもあり、本体部３Ｒを構成する前方板２Ｒａ及び後方板２Ｒｂの上面２Ｒａｔｏｐ及び２Ｒｂｔｏｐと載置部の上面５Ｒｔｏｐとは同じ高さにある。
【００５７】
本例に示すように、載置部５Ｒは必ずしも平板状部材で構成されている必要はなく、本体部３Ｒの上面を載置部として利用することも可能である。
【００５８】
図１７は、本発明の見開き保持具１のさらに他の一例における右側保持具Ｒの正面図である。本例においては、先の述べた連結部材７Ｒに加えて、本体部３Ｒを構成する前方板２Ｒａ及び後方板２Ｒｂの上面に、飛び飛びに上方に突出する突出部８Ｒａと８Ｒｂ（８Ｒｂは８Ｒａの背後に位置しているので図１７には示されていない）が形成されている点がこれまでのものとは異なっている。本例の場合、本体部３Ｒの上面の一部である突出部８Ｒａ及び８Ｒｂの上面が載置部の上面５Ｒｔｏｐを構成している。
【００５９】
図１８は、本発明の見開き保持具１のさらに他の一例における右側保持具Ｒの右側面図である。図に示すとおり、本例においては、前方板２Ｒａと後方板２Ｒｂとを連結する連結部材７Ｒの上部に複数本の支柱９Ｒが設けられ、それら支柱９Ｒの上に、載置部５Ｒを構成する平板状部材が取付けられている。この平板状部材の上面が載置部５Ｒの上面５Ｒｔｏｐを構成することになる。このように、載置部５Ｒは、本体部３Ｒに直接連結されている必要はなく、連結部材７Ｒや支柱９Ｒを介して間接的に連結されていても良い。
【００６０】
さらに、図１９は、本発明の見開き保持具１のさらに他の一例における右側保持具Ｒの右側面図、図２０はその正面図である。図１９及び図２０に示されるとおり、本例においては、本体部３Ｒは、前方板２Ｒａ及び後方板２Ｒｂに加えて、それらの中間に配置されている中間板２Ｒｃから構成されている。中間板２Ｒｃは、下向きに凸に湾曲する接地部４Ｒｃを有しており、その湾曲は、前方板２Ｒａ及び後方板２Ｒｂにおける接地部４Ｒａ及び４Ｒｂの湾曲と同様に、載置部５Ｒの上面５Ｒｔｏｐにおける左右方向の中央位置よりも右側の位置ＸＲｃｍで、接地部４Ｒｃから載置部５Ｒの上面５Ｒｔｏｐまでの距離が極大値Ｒｃｍをとる湾曲である。因みに、中間板２Ｒｃの接地部４Ｒｃの湾曲が前記極大値Ｒｃｍをとる位置ＸＲｃｍは、前方板２Ｒａの接地部４Ｒａの湾曲が極大値Ｒａｍをとる位置ＸＲａｍｔよりも右側で、後方板２Ｒｂの接地部４Ｒｂの湾曲が極大値Ｒｂｍをとる位置ＸＲｂｍよりも左側である。
【００６１】
本例においては、前方板２Ｒａ、後方板２Ｒｂに加えて、中間板２Ｒｃも下向きに凸に湾曲した接地部４Ｒｃを有しているので、平面６上に置かれたとき、右側保持具Ｒは、前方板２Ｒａ、後方板２Ｒｂ、及び中間板２Ｒｃの接地部４Ｒａ、４Ｒｂ、及び４Ｒｃを平面６に当接させながら、辺面６上で揺動自在である。
【００６２】
本例のように、前方板２Ｒａ、後方板２Ｒｂに加えて、中間板２Ｒｃを設ける場合には、右側保持具Ｒの強度が増強されるので、例えば、厚紙や段ボールなどの比較的強度の小さな材料を用いて本発明の見開き保持具１を作製する場合に好適である。場合によっては、前方板２Ｒａ、中間板２Ｒｃ、後方板２Ｒｂの間に連結部材を配設して、さらに強度の増強を図るようにしても良い。また、中間板２Ｒｃの枚数は１枚に限られず、２枚、又は３枚以上であっても良く、さらに不要と思われる場合には、中間板２Ｒｃには接地部４Ｒｃを設けなくても良い。
【産業上の利用可能性】
【００６３】
以上述べたとおり、本発明の見開き保持具によれば、書籍等の被保持物を見開いた状態で安定して保持することができる。また、ページ押さえのための機構を必要としないので、構造が簡単になる上に、見開き状態で保持されている被保持物のページを繰る作業も容易に行うことができ、さらには、ページを繰って見開き箇所を変更しても、左右の保持具が適宜の角度揺動して安定な位置へと移動するので、見開き状態での安定的な保持が維持される。本発明の見開き保持具は、読書、読譜、閲覧等のためはもとより、例えば、図書館、書店、各種店舗等における書籍等の見開き状態での展示にも有効であり、その産業上の利用可能性は多大である。
【符号の説明】
【００６４】
１            見開き保持具
２ａ          前方板
２ｂ          後方板
３            本体部
４            接地部
５            載置部
６            平面
７            連結部材
８            突出部
９            支柱
Ｒ            右側保持具
Ｌ            左側保持具
Ｇｃ          重心
【図１】
2018039136.tif 000003
【図２】
2018039136.tif 000004
【図３】
2018039136.tif 000005
【図４】
2018039136.tif 000006
【図５】
2018039136.tif 000007
【図６】
2018039136.tif 000008
【図７】
2018039136.tif 000009
【図８】
2018039136.tif 000010
【図９】
2018039136.tif 000011
【図１０】
2018039136.tif 000012
【図１１】
2018039136.tif 000013
【図１２】
2018039136.tif 000014
【図１３】
2018039136.tif 000015
【図１４】
2018039136.tif 000016
【図１５】
2018039136.tif 000017
【図１６】
2018039136.tif 000018
【図１７】
2018039136.tif 000019
【図１８】
2018039136.tif 000020
【図１９】
2018039136.tif 000021
【図２０】
2018039136.tif 000022